(57)【要約】【課題】屋内の壁面や柱等に簡単且つ容易に設置可能で、使用後はできるだけ目立たず、且つ邪魔にならないように片付けることが出来る物干し具を提供すること。【解決手段】（１）壁面や柱等に固定して用いられる断面がＵ字状の短尺の支持部材と、断面がＵ字状の腕部材とからなり、（２）該支持部材と腕部材は、相接する一端で略９０度回動可能な回動枢支部を形成しており、（３）両者のＵ字形状は、腕部材を前記回動枢支部を中心にして略９０度折り畳んだとき、支持部材と腕部材が断面がロの字状に嵌合し得る程度に大きさが相違しており、（４）両者の、前記回動枢支部を形成しない方の端部（索条連結部）同士は、索条で連結されており、（５）該索条は、支持部材と腕部材を略９０度に保持し得る長さを有し、腕部材を折り畳んだときには前記嵌合で形成された断面がロの字状の空洞部に収納されるようになっている屋内用物干し具。【選択図】図１
0003132451.tif 000002
【実用新案登録請求の範囲】
【請求項１】
屋内の壁面や柱等に設置して用いられる屋内用物干し具であって、（１）壁面や柱等に固定して用いられる断面がＵ字状の短尺の支持部材と、断面がＵ字状の腕部材とからなり、（２）該支持部材と腕部材は、相接する一端で略９０度回動可能な回動枢支部を形成しており、（３）該支持部材と腕部材のＵ字形状は、腕部材を前記回動枢支部を中心にして略９０度折り畳んだとき、支持部材と腕部材が断面がロの字状に嵌合し得る程度に大きさが相違しており、（４）該支持部材と腕部材の、前記回動枢支部を形成しない方の端部（索条連結部）同士は、索条で連結されており、（５）該索条は、支持部材と腕部材を略９０度に保持し得る長さを有し、腕部材を折り畳んだときには前記嵌合で形成された断面がロの字状の空洞部に収納されるようになっていることを特徴とする屋内用物干し具。
【請求項２】
支持部材の索条連結部に隣接して外側に、懸架部が付設されている請求項１の屋内用物干し具。
【請求項３】
支持部材の回動枢支部に隣接して外側に、保持部が付設されている請求項１又は２の屋内用物干し具。
【請求項４】
断面がＵ字状の腕部材の上側に、複数の凹部が設けられている請求項１〜３のいずれか１項記載の屋内用物干し具。
【請求項５】
腕部材の索条連結部に隣接して外側に、掛止部が設けられている請求項１〜４のいずれか１項記載の屋内用物干し具。
【請求項６】
請求項１〜５のいずれか１項に記載された室内用物干し具の複数個と、該物干し具間に架設するための細長の棒状部材とからなる屋内用物干し具。
【考案の詳細な説明】
【技術分野】
【０００１】
本考案は、屋内の壁面や柱等に設置して用いられる、折り畳み可能な物干し具に関する。
【背景技術】
【０００２】
室内や廊下等の屋内で洗濯物を乾燥させるために、あるいは毛布や布団を干すために、従来、色々な物干し具が提案されている。最近でも、例えば、屋内のカーテンレールを利用して設置された洗濯物等の干し台（特許文献１）や、カーテンレールに懸架して用いる物干し用の懸架具（特許文献２）が提案されている。また、屋内の天井から懸架したり壁面間に物干し竿を装架できるようにした室内用物干し具（特許文献３）、あるいは屋内に設置して用いるコンパクトで収納可能な物干し具（（特許文献４と５）も知られている。
【特許文献１】特開２００３−２２０２９８号公報
【特許文献２】特開２００３−１１７２９４号公報
【特許文献３】特開２００３−２１０８９５号公報
【特許文献４】特開２００１−３２１６００号公報
【特許文献５】登録実用新案第３０３９８７８号
【０００３】
屋内等で用いる物干し具は、必要時には簡単且つ容易に設置可能で、使用後はできるだけ目立たず、且つ邪魔にならないように片付けることが出来るものでなければならない。また、屋内用とはいえ、干し物によっては相当な重量にも耐えるものであることも必要である。更に、物干し具を構成する部品の数等も少なく、製作コストもできるだけ安いものであるものが好ましい。かかる観点から、従来提案されているものは、必ずしも十分なものではない。
【考案の開示】
【考案が解決しようとする課題】
【０００４】
本考案は、屋内の壁面や柱等に簡単且つ容易に設置可能で、使用後はできるだけ目立たず、且つ邪魔にならないように片付けることが出来る物干し具を提供することを目的とする。
【課題を解決するための手段】
【０００５】
本考案の請求項1に記載された考案は、屋内の壁面や柱等に設置して用いられる屋内用物干し具であって、（１）壁面や柱等に固定して用いられる断面がＵ字状の短尺の支持部材と、断面がＵ字状の腕部材とからなり、（２）該支持部材と腕部材は、相接する一端で略９０度回動可能な回動枢支部を形成しており、（３）該支持部材と腕部材のＵ字形状は、腕部材を前記回動枢支部を中心にして略９０度折り畳んだとき、支持部材と腕部材が断面がロの字状に嵌合し得る程度に大きさが相違しており、（４）該支持部材と腕部材の、前記回動枢支部を形成しない方の端部（索条連結部）同士は、索条で連結されており、（５）該索条は、支持部材と腕部材を略９０度に保持し得る長さを有し、腕部材を折り畳んだときには前記嵌合で形成された断面がロの字状の空洞部に収納されるようになっていることを特徴とする屋内用物干し具である。
【０００６】
請求項２に記載された考案は、支持部材の索条連結部に隣接して外側に、懸架部が付設されている請求項１の屋内用物干し具である。この懸架部は、支持部材を壁面や柱等に設置された掛止具に懸架し固定するために用いられる。
【０００７】
請求項３に記載された考案は、支持部材の回動枢支部に隣接して外側に、保持部が付設されている請求項１又は２の屋内用物干し具である。この保持部は、後述の細長の棒状部材を架設し収納するために用いられる。
【０００８】
請求項４に記載された考案は、断面がＵ字状の腕部材の上側に、複数の凹部が設けられている請求項１〜３のいずれか１項記載の屋内用物干し具である。
【０００９】
請求項５に記載された考案は、腕部材の索条連結部に隣接して外側に、掛止部が設けられている請求項１〜４のいずれか１項記載の屋内用物干し具である。この掛止部や前記凹部は、ハンガー等を吊るしたり、後述の細長の棒状部材を架設するために用いられる。
【００１０】
そして、請求項６に記載された考案は、請求項１〜５のいずれか１項に記載された室内用物干し具の複数個と、該物干し具間に架設するための細長の棒状部材とからなる屋内用物干し具である。
【考案の効果】
【００１１】
本考案の物干し具は、屋内の壁面や柱等に簡単且つ容易に設置可能で、屋内の壁面や柱等に固定されているので安定しており倒れることもない。更に、設置しても目立たず、嵩張らず、邪魔にならない。また、毛布や敷布等の広幅の物も干すことができる。そして、使用後はできるだけ目立たず、且つ邪魔にならないように片付けることが出来る。部品の数や形状も簡単で、製作コスト的にも有利である。
【考案を実施するための最良の形態】
【００１２】
本考案は、屋内の壁面や柱等に設置して用いられる物干し具であるが、屋内の壁面や柱等とは、室内の壁面や柱の他、廊下の壁面や柱、洗面所の壁面、ベランダの壁面や柱等の屋内（ベランダやテラスを含む）にある壁面や柱を含むものである。また、物干し具の材質は、木製、アルミあるいはステンレス等の金属製、プラスチック製等どのようなものでもかまわない。
【００１３】
以下、図面を参照しながら本考案を説明する。図１は本考案の物干し具が壁面に設置されている状態を示す。図１において、１は壁面に固定された断面がＵ字状の短尺の支持部材である。断面がＵ字状とは、凹状又は片仮名のコの字状等類似のものも含む。２は断面がＵ字状の腕部材であり、支持部材１と腕部材２は、相接する一端で略９０度回動可能な回動枢支部３を形成している。回動枢支部３の機構は、支持部材１と腕部材２が回動枢支部３を中心にして、略９０度まで自由に谷折れできるようなものであればどのような形式のものでも良い。ヒンジ機構で枢支され、谷折れできるようなものでも良い。
【００１４】
支持部材１と腕部材２の、前記回動枢支部３を形成しない方の端部（索条連結部）、図１の４ａと４ｂは、索条５で連結されている。索条としては、鎖、チェーン、ワイヤー、ロープ、紐等、後述するように、腕部材を折り畳んだときに空洞部に収納できるようなものであれば何でも良い。この索条は、支持部材１と腕部材２を略９０度に保持し得る長さを有している必要がある。索条の索条連結部での止め方はどのような方法・手段でも良く、例えば、鎖、チェーンの場合には、リベット止すれば良い。
【００１５】
図２は、図１の状態から腕部材２を折り畳んで収納した様子を示している。図３は、図２の断面の様子を示している。支持部材１と腕部材２のＵ字形状は、腕部材２を回動枢支部３を中心にして略９０度折り畳んだとき、支持部材１と腕部材２が、図３に示したように、断面がロの字状に嵌合し得る程度に大きさが相違しているので、腕部材２を折り畳んだときに支持部材１と嵌合し、断面がロの字状の空洞部６を形成する。そして、この空洞部６に、前記索条５は収納される。支持部材１と腕部材２は、お互いに断面がロの字状に嵌合し得る程度に、断面の大きさが相違している必要があるが、どちらが大きくてもかまわない。腕部材２の方が大きいと、これを折り畳んだとき、支持部材１を覆い隠すようになり、見栄えが良くなるので好ましい。
【００１６】
本考案において、支持部材１の壁面や柱等への固定の仕方は特に制限はなく、ネジやビス止、接着剤による方法等任意の方法・手段で固定することができる。あるいはまた、図４に示したように、支持部材１の索条連結部４ａに隣接して外側に懸架部７を付設しておき、この懸架部７を、壁面等に設置された掛止具や吸盤付掛止具等に懸架することによって固定することもできる。懸架部７の形状は、支持部材１を安定に懸架し固定できるような形状であればどのようなものでも良いが、図１に示したように、断面が片仮名のコの字状のものが好ましい。
【００１７】
図１に示したように、本考案においては、好ましくは、腕部材２の索条連結部４ｂに隣接して外側に掛止部８が設けられている。また、腕部材２の上側（Ｕ字の上面側）には、複数の凹部９を設けておくのも好ましい。かかる掛止部８や凹部９には、例えば、ハンガー等を安定に吊るすことができる。また、後述のように、複数の物干し具を設置して用いる場合には、それらの掛止部８や凹部９間に、細長の棒状部材（竿）を安定に架設することができる。掛止部の形状は、ハンガーや竿等を安定に架設することができるような形であればどのようなものでも良いが、図１に示したように、断面がＬ字形のものが好ましい。
【００１８】
図１において、１０は保持部であり、これは支持部材１の回動枢支部３に隣接して外側に付設されている。前記のごとく、複数の物干し具を設置して用いる場合には、それらの間に、細長の棒状部材（竿）を架設して利用することができるが、かかる場合において、必要がなくなったとき、この棒状部材は、複数の保持部１０の間に架設・収納することができる。保持部の形状は、棒状部材を安定に架設・収納することができるようなものであればどのようなものでも良いが、図１に示したような断面がＬ字形状のものが好ましい。
【００１９】
支持部材１と腕部材２の大きさは、屋内に設置できる範囲で任意である。例えば、両者は、幅は２〜５ｃｍ、厚さは２〜５ｃｍ、Ｕ字状部分の厚さは２ｍｍ〜５ｍｍ、長さは１０〜３０ｃｍ程度が適当である。どちらか長くてもかまわないが、折り畳んだときにコンパクトになるので、腕部材が長い方が好ましい。  
【００２０】
本考案の物干し具は、屋内の壁面や柱等に簡単に設置でき、物干しが終了又は不要な場合には、腕部材を折り畳み、あるいは棒状部材を取り外し保持部に収納するなどして、部屋や廊下を使用する際に邪魔にならないようにすることができる。
【図面の簡単な説明】
【００２１】
【図１】本考案の物干し具が、壁面に設置されている状態を示す図である。
【図２】本考案の支持部材と腕部材が、折り畳まれ収納された状態を示す図である。
【図３】図２の断面の様子を示す図である。
【図４】本考案の物干し具を壁面に設置する場合の、他の例を示す図である。
【符号の説明】
【００２２】
１  支持部材
２  腕部材
３  回動枢支部
４ａ、４ｂ  索条連結部
５  索条
６  空洞部
７  懸架部
８  掛止部
９  凹部
１０  保持部
【図１】
0003132451.tif 000003
【図２】
0003132451.tif 000004
【図３】
0003132451.tif 000005
【図４】
0003132451.tif 000006